(57)【特許請求の範囲】
【請求項１】
再生制限区間を含む番組コンテンツを蓄積部から再生する再生部を備え、
上記番組コンテンツを構成するストリームまたはファイルのシステムレイヤには、上記番組コンテンツ中の上記再生制限区間を示す情報と上記再生制限区間の制限解除のための情報が挿入されており、
上記再生制限区間を示す情報と上記再生制限区間の制限解除のための情報に基づいて、上記再生制限区間の再生制限が解除されていないとき、該再生制限区間が通常再生されるように上記再生部の再生動作を制限する制御部をさらに備える
コンテンツ再生装置。
【請求項２】
上記番組コンテンツを受信する受信部と、
上記受信された番組コンテンツを上記蓄積部に蓄積する蓄積制御部をさらに備える
請求項１に記載のコンテンツ再生装置。
【請求項３】
上記制御部は、
上記再生部が上記蓄積部から上記番組コンテンツを再生するとき、再生制限の期限前は、上記再生制限区間が通常再生されるように上記再生部の再生動作を制限する
請求項１に記載のコンテンツ再生装置。
【請求項４】
上記制御部は、
上記再生制限の期限前であっても、上記再生制限区間が既に所定回数だけ通常再生されているときは、上記再生部の再生動作を制限することを行わない
請求項３に記載のコンテンツ再生装置。
【請求項５】
上記再生制限区間は、広告区間であり、
上記再生制限の期限前に上記番組コンテンツの上記広告区間が通常再生されるとき、外部の広告視聴率計測サーバにアクセスして視聴率登録を行う通信部をさらに備える
請求項３に記載のコンテンツ再生装置。
【請求項６】
上記再生制限区間は、広告区間であり、
上記再生制限の期限前に上記番組コンテンツの上記広告区間が通常再生されるとき、視聴者に該広告区間の視聴に対する対価を付与する対価付与部をさらに備える
請求項３に記載のコンテンツ再生装置。
【請求項７】
上記対価付与部は、
外部のポイントサーバにアクセスして上記視聴者にポイントを付与する
請求項６に記載のコンテンツ再生装置。
【請求項８】
上記再生制限区間は、広告区間であり、
上記再生部が上記番組コンテンツの上記広告区間を再生する場合、上記再生制限の期限後、または上記再生制限の期限前であっても上記広告区間の通常再生回数が所定回数以上であるときは、外部の広告提供サーバにアクセスして置換用広告を取得する通信部をさらに備える
請求項３に記載のコンテンツ再生装置。
【請求項９】
上記制御部は、
上記再生部が上記蓄積部から上記番組コンテンツを再生するとき、該番組コンテンツに含まれる上記再生制限区間の通常再生回数が所定数に満たない場合には、上記再生制限区間が通常再生されるように上記再生部の再生動作を制限する
請求項１に記載のコンテンツ再生装置。
【請求項１０】
上記再生制限区間は、広告区間であり、
上記再生部が上記番組コンテンツの上記広告区間を再生する場合、該広告区間の通常再生回数が所定回数以上であるときは、外部の広告提供サーバにアクセスして置換用広告を取得する通信部をさらに備える
請求項９に記載のコンテンツ再生装置。
【請求項１１】
上記再生制限区間は、広告区間であり、
上記再生部が上記番組コンテンツの上記広告区間を再生する場合、上記蓄積部に蓄積されてから一定期間が経過しているときは、外部の広告提供サーバにアクセスして置換用広告を取得する通信部をさらに備える
請求項９に記載のコンテンツ再生装置。
【請求項１２】
上記再生制限区間は、広告区間であり、
上記番組コンテンツの上記広告区間が通常再生されたとき、外部のサーバに該広告区間が通常再生されたことを通知する通信部をさらに備える
請求項９に記載のコンテンツ再生装置。
【請求項１３】
上記制御部は、
上記再生部が上記再生制限区間を通常再生している状態で、視聴者操作によるスキップまたは早送りの要求があるとき、該再生制限区間の再生制限が解除されていない場合には、
上記再生部が上記再生制限区間の通常再生を継続するように制御する
請求項１に記載のコンテンツ再生装置。
【請求項１４】
上記制御部は、
上記再生制限区間の再生制限が解除されているか否かを、スキップまたは早送りが制限不要となる当該再生制限区間の再生回数、あるいはスキップまたは早送りが制限される期限の情報に基づいて判断する
請求項１３に記載のコンテンツ再生装置。
【請求項１５】
上記再生部が上記再生制限区間を再生している状態で、視聴者操作によるスキップまたは早送りの要求があるとき、該再生制限区間の再生制限が解除されていない場合には、上記要求に対応できないことを視聴者に通知する通知部をさらに備える
請求項１に記載のコンテンツ再生装置。
【請求項１６】
再生部により、再生制限区間を含む番組コンテンツを蓄積部から再生する再生ステップを有し、
上記番組コンテンツを構成するストリームまたはファイルのシステムレイヤには、上記番組コンテンツ中の上記再生制限区間を示す情報と上記再生制限区間の制限解除のための情報が挿入されており、
上記再生制限区間を示す情報と上記再生制限区間の制限解除のための情報に基づいて、上記再生制限区間の再生制限が解除されていないとき、該再生制限区間が通常再生されるように上記再生ステップの再生動作を制限する制御ステップをさらに有する
コンテンツ再生方法。
【請求項１７】
再生制限区間を含む番組コンテンツを取得する番組コンテンツ取得部を備え、
上記番組コンテンツを構成するストリームまたはファイルのシステムレイヤには、上記番組コンテンツ中の上記再生制限区間を示す情報と上記再生制限区間の制限解除のための情報が挿入されており、
上記番組コンテンツを送信する送信部をさらに備える
コンテンツ送信装置。
【請求項１８】
再生制限区間を含む番組コンテンツを取得する番組コンテンツ取得ステップを有し、
上記番組コンテンツを構成するストリームまたはファイルのシステムレイヤには、上記番組コンテンツ中の上記再生制限区間を示す情報と上記再生制限区間の制限解除のための情報が挿入されており、
送信部により、上記番組コンテンツを送信する送信ステップをさらに有する
コンテンツ送信方法。
【発明の詳細な説明】
【技術分野】
【０００１】
本技術は、コンテンツ再生装置、コンテンツ再生方法、コンテンツ送信装置およびコンテンツ送信方法に関し、詳しくは、蓄積された番組コンテンツを再生するコンテンツ再生装置等に関する。
【背景技術】
【０００２】
広告（ＣＭ）区間を含む番組コンテンツを放送あるいは通信で送信することは従来から行われている（例えば、特許文献１参照）。近時、受信側では、放送あるいは通信で送られてくる番組コンテンツを蓄積部に蓄積し、適宜なタイミングで再生して視聴することが行われている。その際に、広告区間は、ユーザ（視聴者）の操作により、スキップあるいは早送りされることもある。
【先行技術文献】
【特許文献】
【０００３】
【特許文献１】特開２００８−１９９６７４号公報
【発明の概要】
【発明が解決しようとする課題】
【０００４】
本技術の目的は、広告区間などの再生制限区間が含まれる番組コンテンツを蓄積再生する際に、この再生制限区間の適切な再生を可能とすることにある。
【課題を解決するための手段】
【０００５】
本技術の概念は、
再生制限区間を含む番組コンテンツを蓄積部から再生する再生部と、
上記再生制限区間の再生制限が解除されていないとき、該再生制限区間が通常再生されるように上記再生部の再生動作を制限する制御部を備える
コンテンツ再生装置にある。
【０００６】
本技術において、再生部により、蓄積部から再生制限区間を含む番組コンテンツが再生される。例えば、蓄積部は、コンテンツ再生装置自体が持つ場合の他に、インターネットやホームネットワークで接続された外部機器で構成される場合もある。例えば、再生制限区間は、広告（ＣＭ）区間の他に、番組コンテンツを視聴するに当たっての警告を行う警告区間、他の番組を宣伝するための番組宣伝区間、さらには、番組本編内であっても制作側が通常再生での視聴を希望する区間などを含む。
【０００７】
例えば、番組コンテンツを、再生制限区間を示す情報またはこの情報を取得するための情報と共に受信する受信部と、受信された番組コンテンツを蓄積部に蓄積する蓄積制御部をさらに備える、ようにされてもよい。この場合、番組コンテンツにおける再生制限区間を正確に認識可能となる。また、受信部は再生制限区間の制限解除のための情報またはこの情報を取得するための情報をさらに受信する、ようにされてもよい。例えば、制限解除のための情報は、ＣＭスキップ/早送りが制限不要となるＣＭの再生回数、ＣＭスキップ/早送りが制限される期限などである。
【０００８】
制御部により、再生制限区間の再生制限が解除されていないとき、この再生制限区間が通常再生されるように再生部の再生動作が制限される。例えば、制御部は、再生部が蓄積部から番組コンテンツを再生するとき、再生制限の期限前は、再生制限区間が通常再生されるように再生部の再生動作を制限する、ようにされてもよい。そして、この場合、例えば、制御部は、再生制限の期限前であっても、上記再生制限区間が既に所定回数だけ通常再生されているときは、再生部の再生動作を制限することを行わない、ようにされてもよい。
【０００９】
また、この場合、例えば、再生制限区間は広告区間であり、再生制限の期限前に番組コンテンツの広告区間が通常再生されるとき、外部の広告視聴率計測サーバにアクセスして視聴率登録を行う通信部をさらに備える、ようにされてもよい。この場合、広告視聴率サーバでは、精度の高い視聴率計測を行うことが可能となる。
【００１０】
また、この場合、例えば、再生制限区間は広告期間であり、再生制限の期限前に番組コンテンツの広告区間が通常再生されるとき、視聴者にこの広告区間の視聴に対する対価を付与する対価付与部をさらに備える、ようにされてもよい。例えば、対価付与部は、外部のポイントサーバにアクセスして視聴者にポイントを付与する、ようにされてもよい。このように視聴者に対価を付与することで、視聴者に広告区間の視聴を促すことができる。
【００１１】
また、この場合、例えば、再生制限区間は広告区間であり、再生部が番組コンテンツの広告区間を再生する場合、再生制限の期限後、または再生制限の期限前であっても広告期間の通常再生回数が所定回数以上であるときは、外部の広告提供サーバにアクセスして置換用広告を取得する通信部をさらに備える、ようにされてもよい。このように置換用広告を取得することで、広告の付加価値を高めることが可能となる。
【００１２】
また、例えば、制御部は、再生部が蓄積部から番組コンテンツを再生するとき、この番組コンテンツに含まれる再生制限区間の通常再生回数が所定数に満たない場合には、再生制限区間が通常再生されるように再生部の再生動作を制限する、ようにされてもよい。
【００１３】
この場合、例えば、再生制限区間は広告区間であり、再生部が番組コンテンツの広告区間を再生する場合、この広告区間の通常再生回数が所定回数以上であるときは、外部の広告提供サーバにアクセスして置換用広告を取得する通信部をさらに備える、ようにされてもよい。このように置換用広告を取得することで、広告の付加価値を高めることが可能となる。
【００１４】
また、この場合、例えば、再生制限区間は広告区間であり、再生部が番組コンテンツの広告区間を再生する場合、蓄積部に蓄積されてから一定期間が経過しているときは、外部の広告提供サーバにアクセスして置換用広告を取得する通信部をさらに備える、ようにされてもよい。このように置換用広告を取得することで、広告の付加価値を高めることが可能となる。
【００１５】
また、この場合、例えば、再生制限区間は広告区間であり、番組コンテンツの広告区間が通常再生されたとき、外部のサーバにこの広告区間が通常再生されたことを通知する通信部をさらに備える、ようにされてもよい。
【００１６】
このように本技術においては、再生制限区間の再生制限が解除されていないとき、この再生制限区間が通常再生されるように再生部の再生動作が制限される。そのため、再生制限区間の適切な再生が可能となる。
【００１７】
なお、本技術において、例えば、再生部が再生制限区間を再生している状態で、視聴者操作によるスキップまたは早送りの要求があるとき、この再生制限区間の再生制限が解除されていない場合には、要求に対応できないことを視聴者に通知する通知部をさらに備える、ようにされてもよい。この場合、ユーザは、スキップまたは早送りの要求に対応できないことを容易に知ることができる。
【００１８】
また、本技術の他の概念は、
再生制限区間を含む番組コンテンツを取得する番組コンテンツ取得部と、
上記番組コンテンツを、上記再生制限区間を示す情報または該情報を取得するための情報と共に送信する送信部を備える
コンテンツ送信装置にある。
【００１９】
本技術において、番組コンテンツ取得部により、再生制限区間を含む番組コンテンツが取得される。送信部により、番組コンテンツが、再生制限区間を示す情報またはこの情報を取得するための情報と共に送信される。例えば、送信部は、再生制限区間の制限解除のための情報またはこの情報を取得するための情報をさらに送信する、ようにされてもよい。
【００２０】
このように本技術においては、番組コンテンツが再生制限区間を示す情報またはこの情報を取得するための情報と共に送信される。そのため、受信側では、番組コンテンツにおける再生制限区間を正確に認識して、再生制限区間に対して正しく再生部の再生動作を制限することが可能となる。
【発明の効果】
【００２１】
本技術によれば、広告区間などの再生制限区間が含まれる番組コンテンツを蓄積再生する際に、この再生制限区間の適切な再生を可能とする。なお、本明細書に記載された効果はあくまで例示であって限定されるものではなく、また付加的な効果があってもよい。
【図面の簡単な説明】
【００２２】
【図１】実施の形態としての送受信システムの構成例を示すブロック図である。
【図２】ＭＰＥＧ２−ＴＳのＰＭＴに含む新規デスクリプタ内あるいはＭＰ４の新規ボックス内のデータ構造の一例を示す図である。
【図３】コンテンツ再生装置の構成例を示すブロック図である。
【図４】スキップや早送りなどの特定操作の要求を受け付けない旨の通知表示の一例を示す図である。
【図５】個々のＣＭ区間についての開始時刻と終了時刻と再生回数を持つテーブルの一例を示す図である。
【図６】コンテンツ再生装置の再生動作の一例を示すフローチャートである。
【図７】コンテンツ再生装置におけるジャンプ後の再生動作を説明するための図である。
【図８】ジャンプ時におけるコンテンツ再生装置の再生動作の一例を示すフローチャートである。
【図９】コンテンツ再生装置におけるジャンプ後の再生動作を説明するための図である。
【図１０】ジャンプ時におけるコンテンツ再生装置の再生動作の一例を示すフローチャートである。
【図１１】コンテンツ再生装置におけるジャンプ後の再生動作を説明するための図である。
【図１２】ジャンプ時におけるコンテンツ再生装置の再生動作の一例を示すフローチャートである。
【図１３】コンテンツ再生装置の再生動作の一例を示すフローチャートである。
【図１４】ジャンプ時におけるコンテンツ再生装置の再生動作の一例を示すフローチャートである。
【図１５】ジャンプ時におけるコンテンツ再生装置の再生動作の一例を示すフローチャートである。
【図１６】ジャンプ時におけるコンテンツ再生装置の再生動作の一例を示すフローチャートである。
【図１７】コンテンツ再生装置の再生動作の一例を示すフローチャートである。
【発明を実施するための形態】
【００２３】
以下、発明を実施するための形態（以下、「実施の形態」とする）について説明する。なお、説明を以下の順序で行う。
１．実施の形態
２．変形例
【００２４】
＜１．実施の形態＞
［送受信システムの構成例］
図１は、送受信システム１０の構成例を示している。送受信システム１０において、送信側には放送送出システム１００および番組提供サーバ（配信サーバ）２００が配置され、受信側にはコンテンツ再生装置３００が配置されている。番組提供サーバ２００は、インターネットなどの通信ネットワーク４００を通じてコンテンツ再生装置３００に接続されている。
【００２５】
受信側では、コンテンツ再生装置３００に、テレビ受信機５１０または携帯端末５２０が接続されている。コンテンツ再生装置３００と、テレビ受信機５１０または携帯端末５２０は、有線あるいは無線により接続されている。なお、図示の例では、コンテンツ再生装置３００は、テレビ受信機５１０や携帯端末５２０とは別に存在しているが、テレビ受信機５１０や携帯端末５２０がコンテンツ再生装置３００の機能を備えた構成も考えられる。
【００２６】
コンテンツ再生装置３００は、通信ネットワーク４００を通じて、種々のサーバに接続されている。種々のサーバとしては、コンテンツ利用制御サーバ６１０、広告視聴率計測サーバ６２０、ポイントサーバ６３０、広告提供サーバ６４０、ユーザ情報管理サーバ６５０、コンテンツ利用履歴管理サーバ６６０等が存在する。なお、これらのサーバは、複数個がまとまって一つのサーバで構成される場合もある。
【００２７】
放送送出システム１００は、再生制限区間としての広告区間（以下、適宜、「ＣＭ区間」という）を含む番組コンテンツを放送で受信側に送信する。番組提供サーバ２００は、ＣＭ区間を含む番組コンテンツを通信で受信側に送信する。放送送出システム１００や番組提供サーバ２００は、例えばストレージなどから番組コンテンツを取得する番組コンテンツ取得部と、この番組コンテンツを送信する送信部を備えている。放送送出システム１００や番組提供サーバ２００は、番組コンテンツと共に、この番組コンテンツに関連する種々の情報を送信する。この場合、種々の情報は、番組コンテンツに埋め込まれる。
【００２８】
番組コンテンツに関連する種々の情報には、例えば、以下の情報が含まれる。ここで、（３）の情報は、ＣＭ区間を示す情報を構成する。また、（４）、（５）の情報は、ＣＭ区間の制限解除のための情報を構成する。
（１）番組コンテンツの特定が可能なＩＤ
（２）ＣＭの特定が可能なＩＤ
（３）各ＣＭのコンテンツ中の開始時刻と終了時刻
（４）ＣＭスキップ/早送りが制限される期限
（５）ＣＭスキップ/早送りが制限不要となるＣＭの再生回数
（６）各サーバ（クラウドサーバ）のＵＲＬ
【００２９】
図２は、ＭＰＥＧ２−ＴＳのＰＭＴに含む新規デスクリプタ（descriptor）内、あるいはＭＰ４の新規ボックス（box）内のデータ構造の一例を示している。「content_id」のフィールドは、番組コンテンツの特定が可能なＩＤを示す。「restriction_expiration_date」のフィールドは、ＣＭスキップ/早送りが制限される期限を示す。なお、ここでは制限が解除される日付“date”を示すが、録画してから制限が解除されるまでの時間を示すことも考えられる。
【００３０】
「restriction_expiration_count」のフィールドは、ＣＭスキップ/早送りが制限不要となるＣＭの再生回数を示す。「pb_history_server_url」のフィールドは、コンテンツ利用履歴サーバのＵＲＬを示す。「ad_pgm_count」のフィールドは、番組コンテンツ中のＣＭ（ＣＭ区間）の数を示す。
【００３１】
ＣＭの数だけ、「ad_pgm_id」、「ad_pgm_start_time」、「ad_pgm_end_time」、「ad_pgm_server_url」の各フィールドが繰り返し存在する。「ad_pgm_id」のフィールドは、ＣＭの特定が可能なＩＤを示す。「ad_pgm_start_time」のフィールドは、ＣＭの番組コンテンツ中の開始時刻を示す。「ad_pgm_end_time」のフィールドは、ＣＭの番組コンテンツ中の終了時刻を示す。「ad_pgm_server_url」のフィールドは、広告提供サーバのＵＲＬを示す。
【００３２】
なお、ＰＭＴの構造は、ＭＰＥＧ−２ Ｓｙｓｔｅｍｓ規格書（ＩＳＯ/ＩＥＣ  １３８１８−１）や，日本の放送であればＡＲＩＢの標準規格：ＳＴＤ−Ｂ１０に規定されている。また、ＭＰ４のボックス（box）構造は、ＩＳＯ/ＩＥＣ  １４４９６−１２に規定されている。
【００３３】
なお、上述の種々の情報の一部を、番組コンテンツと共にコンテンツ再生装置３００に提供する代わりに、通信ネットワーク４００に接続されたサーバ（クラウドサーバ）からコンテンツ再生装置３００に提供することも考えられる。また、情報によっては、その両方でコンテンツ再生装置３００に提供することもあり得る。例えば、クラウドサーバの情報で、番組コンテンツ中の情報を上書きすることでダイナミックな制御を行うといった運用も考えられる。
【００３４】
例えば、（２）−（５）の情報に関しては、クラウドサーバからコンテンツ再生装置３００に提供されることが考えられる。その場合、コンテンツ再生装置３００は当該クラウドサーバに、例えば（１）の情報を送って、番組コンテンツに含まれる各ＣＭ区間の（２）−（５）の情報を取得する。この場合、（１）の情報は、（２）−（５）の情報を取得するための情報を構成する。
【００３５】
ここで、番組コンテンツに上述の種々の情報を埋め込む方法の一例について説明する。例えば、ＭＰＥＧ２−ＴＳ形式のストリームにおいては、既存のプログラム・マップ・テーブル（ＰＭＴ：Program Map Table）に格納されるデスクリプタ（descriptor）を、ＡＲＩＢ（Association of Radio Industries and Business）やＮｅｘｔＴＶ−Ｆ（Next Generation Television & Broadcasting Promotion Forum）の規定で新たに定義し、そのデスクリプタに上述の情報を運ぶフィールド（field）群を含めるという方法が考えられる。
【００３６】
また、例えば、ＭＰ４形式のファイルにおいては、既存のムーブ・ボックス（moov box）やムーフ・ボックス（moof box）に格納される新たなボックスを同様に定義し、その新たなボックスに上述の情報を運ぶフィールド（field）群を含めるという方法が考えられる。
【００３７】
コンテンツ再生装置３００は、放送送出システム１００あるいは番組提供サーバ２００から送られてくる番組コンテンツを受信する。この番組コンテンツには、上述したように、ＣＭ区間が含まれている。また、コンテンツ再生装置３００には、放送送出システム１００あるいは番組提供サーバ２００から番組コンテンツと共に、上述したように、種々の情報が送られてくる。
【００３８】
コンテンツ再生装置３００は、放送送出システム１００あるいは番組提供サーバ２００から受信された番組コンテンツを、そのままテレビ受信機５１０あるいは携帯端末５２０に送信するか、あるいは蓄積部に蓄積する。なお、テレビ受信機５１０あるいは携帯端末５２０に送信すると共に、蓄積部に蓄積することもある。コンテンツ再生装置３００は、蓄積部に蓄積された番組コンテンツを、ユーザ操作による適宜なタイミングで再生してテレビ受信機５１０あるいは携帯端末５２０に送信する。
【００３９】
ここで、蓄積部は、コンテンツ再生装置３００自身が持つ場合と、クラウド上、つまり通信ネットワーク４００に接続されたサーバ（例えば、番組提供サーバ２００など）で構成される場合とがある。蓄積部がクラウド上のサーバで構成される場合、コンテンツ再生装置３００は、放送送出システム１００あるいは番組提供サーバ２００から受信された番組コンテンツを、通信ネットワーク４００を介してサーバに送信して蓄積する。ただし、前記番組コンテンツが保管されたサーバがクラウド上に配置され、コンテンツ再生装置３００は蓄積動作を仮想的に実行するものとし、その仮想的な蓄積を行った番組の再生を前記クラウド上のサーバから通信ネットワーク４００を介して受信および表示する方法も考えられる。この場合、前記ＭＰＥＧ２−ＴＳのＰＭＴに含む新規デスクリプタ内、あるいはＭＰ４の新規ボックス内に、前記番組コンテンツが保管されたサーバ上の番組に対するＵＲＬも含むことが考えられる。
【００４０】
また、コンテンツ再生装置３００は、放送送出システム１００あるいは番組提供サーバ２００から番組コンテンツと共に受信された種々の情報、さらにはクラウドサーバから取得された種々の情報を、記憶部に記憶し、適宜、利用する。
【００４１】
図３は、コンテンツ再生装置３００の構成例を示している。コンテンツ再生装置３００は、制御部３０１と、記憶部３０２と、デジタルチューナ３０３と、通信部３０４と、蓄積部３０５と、出力部３０６と、ユーザ操作部３０７と、表示部３０８を有している。
【００４２】
制御部３０１は、ＣＰＵを備えて構成され、コンテンツ再生装置３００の各部の動作を制御する。記憶部３０２は、制御ソフトウェアの格納およびデータの保管を行うＲＯＭ、ＣＰＵのワークエリアを構成するＲＡＭなどからなっている。ユーザ操作部３０７は、ユーザが種々の操作を行うための部分である。表示部３０８は、コンテンツ再生装置３００のステータス、ユーザ操作の便宜のための表示などを行う。ユーザ操作部３０７および表示部３０８は、ユーザインタフェース部を構成している。
【００４３】
デジタルチューナ３０３は、放送送出システム１００から放送で送られてくる番組コンテンツを受信する。通信部３０４は、通信ネットワーク４００に接続されたサーバ（クラウドサーバ）と通信をする。この通信部３０４は、番組提供サーバ２００から配信される番組コンテンツを受信する。
【００４４】
蓄積部３０５は、例えばＨＤＤ（Hard Disk Drive）で構成されている。この蓄積部３０５は、ユーザ操作に基づく制御部３０１の制御により、デジタルチューナ３０３や通信部３０４で受信された番組コンテンツを蓄積する。また、蓄積部３０５は、ユーザ操作に基づく制御部３０１の制御により、蓄積されている番組コンテンツを適宜なタイミングで再生する。この意味で、蓄積部３０５は、再生部も構成する。
【００４５】
なお、デジタルチューナ３０３や通信部３０４で受信された番組コンテンツを、クラウド上のサーバに蓄積することも考えられる。その場合には、デジタルチューナ３０３や通信部３０４で受信された番組コンテンツは、通信部３０４を介して、そのサーバに送られて蓄積される。ただし、前述のとおり、この蓄積動作はあらかじめクラウド上のサーバに番組コンテンツが配置されることで仮想化される場合もある。そして、この場合、ユーザ操作に基づく制御部３０１の制御により、このサーバから番組コンテンツが適宜なタイミングで再生される。
【００４６】
出力部３０６は、ユーザ操作に基づく制御部３０１の制御により、デジタルチューナ３０３や通信部３０４で受信された番組コンテンツ、あるいは蓄積部３０５で再生された番組コンテンツ（番組コンテンツをクラウド上のサーバに蓄積された場合には、そのサーバから再生された番組コンテンツ）を、選択的に、テレビ受信機５１０や携帯端末５２０に送る。
【００４７】
コンテンツ再生装置３００は、番組コンテンツを再生してテレビ受信機５１０や携帯端末５２０に送信する際、再生制限が解除されていないＣＭ区間に関しては、通常速度での再生（以下、適宜、「通常再生」という）をする。例えば、このＣＭ区間で通常再生が行われている状態で、ユーザ操作によりスキップや早送りなどの特定操作の要求があっても、その要求を受け付けない。
【００４８】
コンテンツ再生装置３００は、この場合、例えば、ユーザの便宜のために、スキップや早送りなどの特定操作の要求を受け付けない旨を、画像表示あるいは音声出力でユーザに通知する。図４は、表示部３０８に表示される通知表示の一例を示している。
【００４９】
コンテンツ再生装置３００は、再生制限の解除を、通常再生の回数（図２の「restriction_expiration_count」のフィールド参照）、あるいは期限（図２の「restriction_expiration_date」のフィールド参照）の情報に基づいて判断する。なお、期限と回数を併用することも考えられる。
【００５０】
例えば、既に所定回数の通常再生が行われたＣＭ区間に関しては、そのＣＭ区間の通常再生中にあるスキップや早送りなどの特定操作の要求を受け付ける。また、例えば、既に期限が過ぎたＣＭ区間に関しては、そのＣＭ区間の通常再生中にあるスキップや早送りなどの特定操作の要求を受け付ける。また、期限と回数を併用し、期限前であっても所定回数の通常再生が行われたＣＭ区間については前記特定操作の要求を受け付ける。ここで、所定回数や期限の情報としては、上述したように番組コンテンツと共に送信されてくる値、あるいは放送/配信の規定で予め定められた値が使用される。
【００５１】
再生制限の解除を通常再生の回数の情報に基づいて行う場合、コンテンツ再生装置３００はＣＭ区間を開始時刻から終了時刻まで通常再生すると、そのＣＭ区間の再生回数をカウントした値を記憶する。番組コンテンツのＣＭ区間の再生履歴を管理する方法としては、図５に示すように、個々のＣＭ区間について、開始時刻と終了時刻と再生回数のテーブルを保持し、通常再生した部分について、その回数を記録することが考えられる。ここで、テーブルの保管先はコンテンツ再生装置３００内とする他にも、ホームネットワーク上のサーバ内や、クラウド上のコンテンツ利用履歴管理サーバ６６０内とすることも考えられる。
【００５２】
図６のフローチャートは、コンテンツ再生装置３００の再生動作の一例を示している。コンテンツ再生装置３００は、ステップＳＴ１において、処理を開始する。そして、ステップＳＴ２において、番組コンテンツの通常再生を開始する。次に、コンテンツ再生装置３００は、ステップＳＴ３において、現在の再生位置を確認する。
【００５３】
次に、ステップＳＴ４において、ＣＭ区間を再生中か否かを判断する。ＣＭ区間を再生中であると判断するとき、コンテンツ再生装置３００は、ステップＳＴ５において、ＣＭ区間フラグをセットする。
【００５４】
次に、コンテンツ再生装置３００は、ステップＳＴ６において、スキップか早送りが要求されたか否かを判断する。スキップか早送りが要求されたと判断するとき、コンテンツ再生装置３００は、ステップＳＴ７において、このＣＭ区間の再生回数は所定の必要回数未満か否かを判断する。
【００５５】
所定の必要回数未満であると判断するとき、コンテンツ再生装置３００は、ステップＳＴ８において、ユーザ（視聴者）に要求に対応できないことを通知する。この通知は、上述したように、例えば、画像表示（図４参照）あるいは音声出力などで行われる。コンテンツ再生装置３００は、このステップＳＴ８の処理の後、ステップＳＴ１３の処理に移る。
【００５６】
また、ステップＳＴ７で所定の必要回数未満ではない、つまり所定の必要回数以上であると判断するとき、コンテンツ再生装置３００は、ステップＳＴ９において、要求されたスキップあるいは早送りを実施する。コンテンツ再生装置３００は、このステップＳＴ９の処理の後、ステップＳＴ１３の処理に移る。
【００５７】
また、ステップＳＴ４でＣＭ区間を再生中でないと判断するとき、コンテンツ再生装置３００は、ステップＳＴ１０において、ＣＭ区間フラグがセットされているか否かを判断する。ＣＭ区間フラグがセットされていると判断するとき、コンテンツ再生装置３００は、ステップＳＴ１１において、このＣＭ区間の再生回数をインクリメント、つまり“＋１”する。次に、コンテンツ装置３００は、ステップＳＴ１２において、ＣＭ区間フラグをリセットする。コンテンツ再生装置３００は、このステップＳＴ１２の処理の後、ステップＳＴ１３の処理に移る。
【００５８】
また、ステップＳＴ６でスキップも早送りも要求されていないと判断するとき、あるいはステップＳＴ１０でＣＭ区間フラグがセットされていないと判断するとき、コンテンツ再生装置３００は、直ちに、ステップＳＴ１３の処理に移る。
【００５９】
ステップＳＴ１３において、コンテンツ再生装置３００は、通常再生の停止が要求されたか否かを判断する。通常再生の停止が要求されていないと判断するとき、コンテンツ再生装置３００は、ステップＳＴ３の処理に戻り、上述したと同様の処理を繰り返す。一方、通常再生の停止が要求されていると判断するとき、コンテンツ再生装置３００は、ステップＳＴ１５において、再生処理を終了する。
【００６０】
また、図７に示すように、番組コンテンツ中の位置Ａから時間的に未来の位置Ｂ（Ｂ０，Ｂ１，Ｂ２，Ｂ３）にジャンプした後に再生する場合、開始時刻が位置Ａから位置Ｂの範囲内となるＣＭ区間（Ｘ１，Ｘ２）がある場合、そのＣＭ区間が所定回数再生されていなければ、それを通常再生した後に位置Ｂからの再生を行うことが考えられる。なお、ここで再生されるＣＭ区間は位置Ｂから遡って直近に開始時刻があるＣＭ区間だけとすることが考えられる。また、位置ＢがＣＭ区間の範囲内だった場合は、そのＣＭ区間の直後を位置Ｂに再設定するものとする。
【００６１】
ここで、「位置Ａから位置Ｂへのジャンプ」とは、位置Ａから位置Ｂまで通常再生以外の方法で移動した後に通常再生を開始することを意味し、具体的には、次のようなケースが挙げられる。
（１）位置Ａから早送りで位置に達した後に通常再生を行う。
（２）シークバーを位置Ａから位置Ｂまで動かした後に通常再生を行う。
（３）位置Ａから位置Ｂを先頭とするチャプタの選択操作を行い、通常再生を開始する。
【００６２】
図８のフローチャートは、このジャンプ時におけるコンテンツ再生装置３００の再生動作の一例を示している。コンテンツ再生装置３００は、ステップＳＴ２１において、処理を開始する。そして、ステップＳＴ２２において、再生位置を位置Ｂにセットする。次に、コンテンツ再生装置３００は、ステップＳＴ２３において、位置Ａから位置Ｂの間にＣＭ区間の開始位置が含まれるか否かを判断する。
【００６３】
ＣＭ区間の開始位置が含まれると判断するとき、コンテンツ再生装置３００は、ステップＳＴ２４において、位置Ｂから遡って直近に開始位置を持つＣＭ区間Ｘを特定する。次に、コンテンツ再生装置３００は、ステップＳＴ２５において、ＣＭ区間Ｘの再生回数は所定の必要回数未満か否かを判断する。
【００６４】
所定の必要回数未満であると判断するとき、コンテンツ再生装置３００は、ステップＳＴ２６において、位置ＢはＣＭ区間Ｘの範囲内か否かを判断する。位置ＢはＣＭ区間Ｘの範囲内であると判断するとき、コンテンツ再生装置３００は、ステップＳＴ２７において、位置ＢをＣＭ区間Ｘの終了時刻に変更する。コンテンツ再生装置３００は、ステップＳＴ２７の処理の後、ステップＳＴ２８の処理に移る。なお、ステップＳＴ２６で位置ＢはＣＭ区間Ｘの範囲内でないと判断するとき、コンテンツ再生装置３００は、直ちに、ステップＳＴ２８の処理に移る。
【００６５】
ステップＳＴ２８において、コンテンツ再生装置３００は、再生位置をＣＭ区間Ｘの開始位置にセットする。次に、コンテンツ再生装置３００は、ステップＳＴ２９において、通常再生を開始する。次に、コンテンツ再生装置３００は、ステップＳＴ３０において、ＣＭ区間Ｘを再生中か否かを判断する。
【００６６】
ＣＭ区間Ｘを再生中であると判断するとき、コンテンツ再生装置３００は、ステップＳＴ３１において、スキップか早送りが要求されたか否かを判断する。スキップか早送りが要求されたと判断するとき、コンテンツ再生装置３００は、ステップＳＴ３２において、ユーザに要求に対応できないことを通知する。
【００６７】
コンテンツ再生装置３００は、このステップＳＴ３２の処理の後、ステップＳＴ３０の処理に戻って、上述したのと同様の処理を繰り返す。なお、ステップＳＴ３１でスキップも早送りも要求されていないと判断するとき、コンテンツ再生装置３００は、直ちに、ステップＳＴ３０の処理に戻る。
【００６８】
また、ステップＳＴ３０でＣＭ区間Ｘを再生中でないと判断するとき、コンテンツ再生装置３００は、ステップＳＴ３３の処理に移る。このステップＳＴ３３において、コンテンツ再生装置３００は、このＣＭ区間Ｘの再生回数をインクリメント、つまり“＋１”する。次に、コンテンツ装置３００は、ステップＳＴ３４において、再生位置を位置Ｂにセットする。
【００６９】
コンテンツ再生装置３００は、ステップＳＴ３４の処理の後、ステップＳＴ３５の処理に移る。なお、ステップＳＴ２３でＣＭ区間の開始位置が含まれていないと判断するとき、コンテンツ再生装置３００は、直ちに、ステップＳＴ３５の処理に移る。このステップＳＴ３５において、コンテンツ再生装置３００は、通常再生を開始する。
【００７０】
このステップＳＴ３５の後、コンテンツ再生装置３００は、ステップＳＴ３６においてジャンプ時の処理を終了する。この後、コンテンツ再生装置３００は、上述の図６のフローチャートで示す再生動作を行う。
【００７１】
また、図９に示すように、番組コンテンツ中の位置Ａから時間的に過去の位置Ｃ（Ｃ０，Ｃ１，Ｃ２）にジャンプした後に再生する場合、位置Ｃから遡って直近に開始時刻があるＣＭ区間を再生した後に位置Ｃからの再生を行うことも考えられる。
【００７２】
図１０は、このジャンプ時におけるコンテンツ再生装置３００の再生動作の一例を示している。コンテンツ再生装置３００は、ステップＳＴ４１において、処理を開始する。そして、ステップＳＴ４２において、再生位置を位置Ｃにセットする。次に、コンテンツ再生装置３００は、ステップＳＴ４３において、位置Ｃから遡って直近に開始位置を持つＣＭ区間が存在するか否かを判断する。
【００７３】
ＣＭ区間が存在すると判断するとき、コンテンツ再生装置３００は、ステップＳＴ４４において、位置Ｃから遡って直近に開始位置を持つＣＭ区間Ｙを特定する。次に、コンテンツ再生装置３００は、ステップＳＴ４５において、ＣＭ区間Ｙの再生回数は所定の必要回数未満か否かを判断する。
【００７４】
所定の必要回数未満であると判断するとき、コンテンツ再生装置３００は、ステップＳＴ４６において、位置ＣはＣＭ区間Ｙの範囲内か否かを判断する。位置ＣはＣＭ区間Ｙの範囲内であると判断するとき、コンテンツ再生装置３００は、ステップＳＴ４７において、位置ＣをＣＭ区間Ｙの終了時刻に変更する。コンテンツ再生装置３００は、ステップＳＴ４７の処理の後、ステップＳＴ４８の処理に移る。なお、ステップＳＴ４６で位置ＣはＣＭ区間Ｙの範囲内でないと判断するとき、コンテンツ再生装置３００は、直ちに、ステップＳＴ４８の処理に移る。
【００７５】
ステップＳＴ４８において、コンテンツ再生装置３００は、再生位置をＣＭ区間Ｙの開始位置にセットする。次に、コンテンツ再生装置３００は、ステップＳＴ４９において、通常再生を開始する。次に、コンテンツ再生装置３００は、ステップＳＴ５０において、ＣＭ区間Ｙを再生中か否かを判断する。
【００７６】
ＣＭ区間Ｙを再生中であると判断するとき、コンテンツ再生装置３００は、ステップＳＴ５１において、スキップか早送りが要求されたか否かを判断する。スキップか早送りが要求されたと判断するとき、コンテンツ再生装置３００は、ステップＳＴ５２において、ユーザに要求に対応できないことを通知する。
【００７７】
コンテンツ再生装置３００は、このステップＳＴ５２の処理の後、ステップＳＴ５０の処理に戻って、上述したと同様の処理を繰り返す。なお、ステップＳＴ５１でスキップも早送りも要求されていないと判断するとき、コンテンツ再生装置３００は、直ちに、ステップＳＴ５０の処理に戻る。
【００７８】
また、ステップＳＴ５０でＣＭ区間Ｙを再生中でないと判断するとき、コンテンツ再生装置３００は、ステップＳＴ５３の処理に移る。このステップＳＴ５３において、コンテンツ再生装置３００は、このＣＭ区間Ｙの再生回数をインクリメント、つまり“＋１”する。次に、コンテンツ装置３００は、ステップＳＴ５４において、再生位置を位置Ｃにセットする。
【００７９】
コンテンツ再生装置３００は、ステップＳＴ５４の処理の後、ステップＳＴ５５の処理に移る。なお、ステップＳＴ４３でＣＭ区間の開始位置が含まれていないと判断するとき、コンテンツ再生装置３００は、直ちに、ステップＳＴ５５の処理に移る。このステップＳＴ５５において、コンテンツ再生装置３００は、通常再生を開始する。
【００８０】
このステップＳＴ５５の後、コンテンツ再生装置３００は、ステップＳＴ５６においてジャンプ時の処理を終了する。この後、コンテンツ再生装置３００は、上述の図６のフローチャートで示す再生動作を行う。
【００８１】
なお、上述したＣＭ区間の再生を以下の場合に限定することも考えられる（図１１参照）。
（１）位置Ｃの時刻からＣＭ区間Ｙの終了時刻を引いた結果ｄ１が所定の値Ｔ１以下の場合および/または位置Ｃから未来方向の直近のＣＭ区間Ｚの開始時刻から位置Ｃの時刻を引いた結果ｄ２が所定の値Ｔ２以上の場合。
（２）位置Ｃの時刻からＣＭ区間Ｙの終了時刻を引いた結果ｄ１が所定の値Ｔ１以下の場合および/または位置Ａの時刻から位置Ｃの時刻を引いた結果ｄ３が所定のＴ３以上の場合。
（３）ｄ１のｄ１＋ｄ２に対する割合が所定の値以下の場合。
【００８２】
これを式で表すと、以下の通りとなる。
ケース１） IF(d1 < T1) THEN 「ＣＭ区間Ｙを再生」
ケース２)  IF(d2 > T2) THEN 「ＣＭ区間Ｙを再生」
ケース３） IF(d3 > T3) THEN 「ＣＭ区間Ｙを再生」
ケース４） IF((d1 < T1) and (d2 > T2)) THEN 「ＣＭ区間Ｙを再生」
ケース５)  IF((d1 < T1) and (d3 > T3)) THEN 「ＣＭ区間Ｙを再生」
ケース６)  IF(d1 / (d1+d2) < P) THEN 「ＣＭ区間Ｙを再生」
【００８３】
図１２のフローチャートは、上述した限定を行う場合におけるコンテンツ再生装置３００の再生動作の一例を示している。この場合、図１０のフローチャートの再生動作に対して、ステップＳＴ４４とステップＳＴ４５の間に、ステップＳＴ６０の処理が新たに追加される。このステップＳＴ６０において、コンテンツ再生装置３００は、限定要件（ケース１から６のいずれか）を満たすか否かを判断し、満たす場合のみ、ステップＳＴ４５の処理に進む。図１２のフローチャートの再生動作において、その他は図１０のフローチャートの再生動作と同様である。
【００８４】
なお、放送ないしストリーミング配信中の番組をテレビ受信機５１０などの表示装置で表示していた場合は、表示されたＣＭ区間については再生回数をカウントすることが考えられる。例えば、テレビ受信機５１０で放送を受信表示した番組について、クラウド上のコンテンツ利用履歴管理サーバ６６０で再生回数をカウントし、コンテンツ再生装置３００が同じ番組の録画再生時にその履歴を参照し、ＣＭ区間の再生に反映することが考えられる。
【００８５】
また、所定の速度以上の早送り／巻き戻しは、ＣＭ区間を含めて制限しないことが考えられる。また、再生回数が所定の値に満たないＣＭ区間については、削除などの編集を禁止することが考えられる。一方、再生回数が所定の値に達したＣＭ区間については自動的に再生しないように制御し、あるいは自動的に削除することが考えられる。
【００８６】
ＣＭ区間の再生制限が必要な回数は、番組コンテンツによっては非常に大きな値や無制限に設定される可能性もある。しかし、各ユーザ（視聴者）によるＣＭ区間の再生回数をクラウド上のサーバで集計し、その総数が所定の値に達した後や、再放送などで少ない再生回数が設定された場合に、必要な再生回数が変更される場合が考えられる。
【００８７】
その場合、コンテンツ再生装置３００が直接、あるいはコンテンツ利用履歴管理サーバ６６０経由で、必要な再生回数を管理するコンテンツ利用制御サーバ６１０にアクセスし、その結果に基づいて番組コンテンツのＣＭ区間の再生制限の要否を判断することが考えられる。この場合、各ユーザ（視聴者）のコンテンツ再生装置３００は、ＣＭ区間の通常再生を行ったとき、クラウド上の上述したように集計を行うサーバに通知する。
【００８８】
また、ＣＭ区間の再生については、蓄積部（コンテンツ再生装置３００内、あるはクラウド上の蓄積部）に記録されたものを再生する他に、通信ネットワーク４００経由でストリーミングやダウンロードされたＣＭなどを再生することが考えられる。
【００８９】
再生するものを選択する際に、番組コンテンツの利用履歴および/またはユーザに関する各種情報を参照し、それに基づくことが考えられる。例えば、ＣＭ区間の再生回数に基づいてＣＭの内容を変えることが考えられる。具体的には、例えば、未再生なら録画されたＣＭを再生し、再生済みなら広告提供サーバ６４０に、録画されたＣＭのＩＤを送り、置換用ＣＭのＵＲＬを受け取って、そのＵＲＬからＣＭを取得して再生することが考えられる。
【００９０】
また、例えば、再生日時に基づいてスポンサーが用意した最新のＣＭに置換することが考えられる。具体的には、例えば、記録日から所定の期間経過後や、放送／配信メタデータとして送られた期限以降は広告提供サーバ６４０に、録画されたＣＭのＩＤを送り、置換用ＣＭのＵＲＬを受け取って、そのＵＲＬからＣＭを取得して再生することが考えられる。
【００９１】
また、例えば、ユーザの属性情報（年齢、性別、国籍、住所など）や、嗜好を反映する情報（番組の再生・視聴・予約・保管履歴など）や、ＣＭ情報へのアクセス履歴（ＣＭと併せて放送・配信された詳細情報やＵＲＬ先のサイトの閲覧状況など）、ＣＭに関するユーザのフィードバック（好き／嫌い、要／不要、購入済み）に基づいて、ユーザのニーズにマッチしそうなＣＭに置換する、あるいは効果が低そうなＣＭを置換するといったことが考えられる。
【００９２】
具体的には、例えば、番組コンテンツの再生開始時に、番組コンテンツＩＤ、あるいは番組コンテンツ中のＣＭのＩＤリストと、ユーザの属性情報、嗜好を反映する情報、ＣＭ情報へのアクセス履歴、ＣＭに関するユーザのフィードバック情報を、広告提供サーバ６４０に送り、あるいは広告提供サーバ６４０がこれら情報を保管するユーザ情報管理サーバ６５０から取得し、それに基づいて選択されたＣＭ群のＵＲＬリストをコンテンツ再生装置３００が広告提供サーバ６４０から受け取り、ＣＭ区間の再生タイミングでそれらＵＲＬにアクセスして取得したＣＭを再生することが考えられる。
【００９３】
上述では再生制限の解除を通常再生の回数の情報に基づいて行う場合について説明したが、再生制限の解除を期限の情報に基づいて行う場合も、コンテンツ再生装置３００は、ほぼ同様の再生動作をする。図１３、図１４、図１５、図１６のフローチャートで示す再生動作は、それぞれ、再生制限の解除を期限の情報に基づいて行う場合におけるコンテンツ再生装置３００の再生動作を示しており、それぞれ図６、図８、図１０、図１２のフローチャートで示す再生動作に対応するものである。ただし、図１３のＳＴ１１、図１４のＳＴ３３、図１５のＳＴ５３の処理は、期限と回数による再生制限を併用する場合のみ行うことが考えられる。
【００９４】
図１３のフローチャートにおいては、図６のフローチャートにおけるステップＳＴ７の処理がステップＳＴ７Ａの処理に変更されており、その他のステップについては図６のフローチャートと同じである。このステップＳＴ７Ａにおいて、コンテンツ再生装置３００は、現在は再生制限の期限より前か判断する。再生制限の期限より前であると判断するとき、コンテンツ再生装置３００は、ステップＳＴ８の処理に移る。一方、再生制限の期限より前でないと判断するとき、コンテンツ再生装置３００は、ステップＳＴ９の処理に移る。
【００９５】
また、図１４のフローチャートにおいては、図８のフローチャートにおけるステップＳＴ２５の処理がステップＳＴ２５Ａの処理に変更されており、その他のステップについては図８のフローチャートと同じである。このステップＳＴ２５Ａにおいて、コンテンツ再生装置３００は、現在は再生制限の期限より前か判断する。再生制限の期限より前であると判断するとき、コンテンツ再生装置３００は、ステップＳＴ２６の処理に移る。一方、再生制限の期限より前でないと判断するとき、コンテンツ再生装置３００は、ステップＳＴ３５の処理に移る。
【００９６】
また、図１５、図１６のフローチャートにおいては、それぞれ、図１０、図１２のフローチャートにおけるステップＳＴ４５の処理がステップＳＴ４５Ａの処理に変更されており、その他のステップについては図１０、図１２のフローチャートと同じである。このステップＳＴ４５Ａにおいて、コンテンツ再生装置３００は、現在は再生制限の期限より前か判断する。再生期限より前であると判断するとき、コンテンツ再生装置３００は、ステップＳＴ４６の処理に移る。一方、再生制限の期限より前でないと判断するとき、コンテンツ再生装置３００は、ステップＳＴ５５の処理に移る。
【００９７】
ところで、広告収入を基本とした無料デジタル放送/配信に於いて、デジタル録画再生機器の普及に伴いタイムシフト視聴が一般的になると、広告ビジネスモデルの根幹であるリアルタイムの視聴率データが意味を無さなくなる。所定期限（例えば、ＣＭスキップ/早送りが制限される期限）より前に、ＣＭ（ＣＭ区間）を通常再生（通常速度で再生）した場合、視聴率を計測する広告視聴率計測サーバ６２０にアクセスして、リアルタイム視聴された場合と同様の視聴率の加算を行うことが考えられる。
【００９８】
ここで、広告視聴率計測サーバ６２０は、広告料算定の基本となるデータを計測するためのサーバであって、蓄積部に蓄積されたＣＭを認識し、そのＣＭの再生が予め設定された視聴率計測の条件を満たせば、広告視聴率として加算する。この場合、サンプルによる推定視聴率ではなく、実際に視聴された実数での視聴率（ＣＭ視聴率）データの収集が可能となる。
【００９９】
また、ユーザ（視聴者）に対しては、ＣＭスキップ/早送りの制限期間内に、蓄積部に蓄積された番組コンテンツの再生による視聴を行った場合、ＣＭを視聴した特典として、ポイントサーバ６３０にアクセスして、ユーザに紐付けされたポイントカードにポイントの付与を行うことが考えられる。
【０１００】
ここで、ポイントサーバ６３０は、ユーザのＣＭ視聴に対する対価（ポイント）を視聴者に還元するためのサーバであって、蓄積部に蓄積されたＣＭを認識し、そのＣＭの再生が予め設定された条件を満たせば、ユーザに紐付けされたポイントカードにポイントを付与する。ユーザは、このポイントを利用して、有料放送の視聴や、課金を伴う番組再生（録画やダウンロードされた番組）の支払い、インターネット経由のＶＯＤ（ビデオ・オン・デマンド）サービスの支払い等に充当する事が可能となる。
【０１０１】
また、ＣＭスキップ/早送りの制限期間が経過していない場合であっても、所定回数だけ、例えば１回だけＣＭを通常再生した場合には、２回目以降の再生時には、ＣＭスキップ/早送りに対する制限を行わないものとすることも考えられる。
【０１０２】
また、所定期限（例えば、ＣＭスキップ/早送りが制限される期限）が経過した場合には、蓄積部に蓄積されているＣＭは、広告価値が低下していると見做され、クラウド上の広告（ＣＭ）提供サーバ６４０から得られるＣＭと置換することが考えられる。置換用ＣＭとしては、ユーザ（視聴者）の過去の番組コンテンツの視聴傾向に基づいたＣＭや、番組視聴エリア等の情報に基づいた地域ＣＭが選定されるものとする。
【０１０３】
ここで、広告（ＣＭ）提供サーバ６４０は、ユーザ（視聴者）にＣＭを提供するためのサーバであって、予め定められた条件を満たせば、蓄積部に蓄積されている古いＣＭ、商業的価値が低くなってしまったＣＭに換えて、商業的価値の高いＣＭを提供する。この場合、広告（ＣＭ）提供サーバ６４０から供給されたＣＭ視聴に関しても、ユーザのＣＭ視聴に対する対価（ポイント）を還元することが考えられる。
【０１０４】
図１７のフローチャートは、コンテンツ再生装置３００の再生動作の一例を示している。コンテンツ再生装置３００は、ステップＳＴ６１において、処理を開始する。そして、ステップＳＴ６２において、番組コンテンツの通常再生状態において、ＣＭ区間Ｘの先頭を検知した後、ステップＳＴ６３の処理に移る。
【０１０５】
このステップＳＴ６３において、コンテンツ再生装置３００は、現在は再生制限の期限より前か否かを判断する。再生制限の期限より前であるとき、コンテンツ再生装置３００は、ステップＳＴ６４において、ＣＭ区間Ｘの再生回数は所定の必要回数未満か否かを判断する。必要回数未満であると判断するとき、コンテンツ再生装置３００は、ステップＳＴ６５において、スキップ/早送り禁止モードをオンとする。
【０１０６】
コンテンツ再生装置３００は、ステップＳＴ６５の処理の後、ステップＳＴ６６の処理に移る。ステップＳＴ６３で再生制限の期限以降であると判断するとき、あるいはステップＳＴ６４でＣＭ区間Ｘの再生回数が必要回数以上であると判断するとき、コンテンツ再生装置３００は、直ちに、ステップＳＴ６６の処理に移る。
【０１０７】
ステップＳＴ６６において、コンテンツ再生装置３００は、広告の置換条件を満たすか否かを判断する。例えば、現在が再生制限の期限後であるとき、あるいは現在が再生制限の期限内であっても、ＣＭ区間Ｘの再生回数が必要回数以上であるときには、広告の置換条件を満たすと判断する。広告の置換条件を満たすと判断するとき、コンテンツ再生装置３００は、ステップＳＴ６７において、広告（ＣＭ）提供サーバ６４０から置換用ＣＭを取得し、通常再生をする。
【０１０８】
コンテンツ再生装置３００は、ステップＳＴ６７の処理の後、ステップＳＴ６８の処理に移る。ステップＳＴ６６で、広告の置換条件を満たさないと判断するとき、コンテンツ再生装置３００は、直ちに、ステップＳＴ６８の処理に移る。
【０１０９】
このステップＳＴ６８において、コンテンツ再生装置３００は、ＣＭ区間Ｘまたは置換用ＣＭの終了を検知したか否かを判断する。検知したと判断するとき、コンテンツ再生装置３００は、ステップＳＴ６９において、このＣＭ区間の再生回数をインクリメント、つまり“＋１”する。次に、コンテンツ再生装置３００は、ステップＳＴ７０において、スキップ/早送り禁止モードをオフとする。
【０１１０】
次に、コンテンツ再生装置３００は、ステップＳＴ７１において、ＣＭ区間Ｘは視聴率計測の対象か否かを判断する。視聴率計測の対象であると判断するとき、コンテンツ再生装置３００は、ステップＳＴ７２において、広告視聴率計測サーバ６２０にアクセスして視聴率登録をする。
【０１１１】
コンテンツ再生装置３００は、ステップＳＴ７２の処理の後、ステップＳＴ７３の処理に移る。ステップＳＴ７１で、視聴率計測の対象でないと判断するとき、コンテンツ再生装置３００は、直ちに、ステップＳＴ７３の処理に移る。
【０１１２】
このステップＳＴ７３において、コンテンツ再生装置３００は、ＣＭ区間Ｘはポイント対象か否かを判断する。ポイント対象であると判断するとき、コンテンツ再生装置３００は、ステップＳＴ７４において、ポイントサーバ６３０にアクセスして、ＣＭ区間Ｘの視聴に対する対価（ポイント）を行う。
【０１１３】
コンテンツ再生装置３００は、ステップＳＴ７４の処理の後、ステップＳＴ７５において、処理を終了する。ステップＳＴ７３で、ポイントの対象でないと判断するとき、コンテンツ再生装置３００は、直ちに、ステップＳＴ７５において、処理を終了する。
【０１１４】
なお、コンテンツ再生装置３００は、蓄積部に蓄積（録画）された番組コンテンツのリストを提示することと同様に、ユーザ（視聴者）の視聴履歴や録画履歴を分析して、お薦めの番組コンテンツをＶＯＤ（ビデオ・オン・デマンド）で提供している番組コンテンツから選択して提示を行うことも考えられる。この場合、ＶＯＤ番組の視聴に必要な料金として、例えば、上述したようにＣＭ視聴で付与されたポイントの使用が可能とされる。勿論、通常のクレジットカード課金や電子マネーによる課金も可能である。
【０１１５】
また、無料放送は、無料で視聴可能な放送であるが、高付加価値のコンテンツを提供する場合には、その録画に関して課金することが考えられる。例えば、上述したようにＣＭ視聴で付与されたポイントを使用する支払いや、クレジットカード課金や電子マネーによる課金も考えられる。
【０１１６】
また、録画時に課金を行うのではなく、録画番組の再生時に課金するビジネスモデルも考えられる。再生毎に課金する方法、再生回数が一定回数を超えたらそれ以降の再生に対して課金する方法、再生回数では無く一定期間を超えた後の再生に対して課金する方法などが考えられる。ユーザ（視聴者）が、ＣＭ視聴を選択した場合には、引き続き無料での再生を可能とするビジネスモデルも考えられる。
【０１１７】
上述したように、図１に示す送受信システム１０において、コンテンツ再生装置３００は、ＣＭ区間の再生制限（スキップ/早送り禁止）が解除されていないとき、このＣＭ区間が通常再生されるように制限する。この場合、このＣＭ区間の通常再生中にユーザ操作によるスキップ/早送りの要求がなされても、その要求を受け付けない。そのため、蓄積された番組コンテンツを再生するに当たって、それに含まれるＣＭ区間の再生を適切に行うことができる。
【０１１８】
また、図１に示す送受信システム１０において、放送送出システム１００あるいは番組提供サーバ（配信サーバ）２００は、番組コンテンツと共にそれに含まれるＣＭ区間を示す情報またはこの情報を取得するための情報を送信する。そのため、受信側では、番組コンテンツにおけるＣＭ区間を正確に認識して、ＣＭ区間に対して正しく再生動作を制限できる。
【０１１９】
＜２．変形例＞
なお、上述実施の形態では、番組コンテンツに含まれる再生制限区間がＣＭ（広告）区間である例を示した。しかし、本技術において、再生制限区間はＣＭ区間に限定されるものではなく、同様に再生制限を必要とする区間も含まれる。例えば、再生制限区間としては、番組コンテンツを視聴するに当たっての警告を行う警告区間、他の番組を宣伝するための番組宣伝区間、さらには、番組本編内であっても制作側の通常再生での視聴を希望する区間なども考えることができる。
【０１２０】
また、本技術は、以下のような構成を取ることもできる。
（１）再生制限区間を含む番組コンテンツを蓄積部から再生する再生部と、
上記再生制限区間の再生制限が解除されていないとき、該再生制限区間が通常再生されるように上記再生部の再生動作を制限する制御部を備える
コンテンツ再生装置。
（２）上記番組コンテンツを、上記再生制限区間を示す情報または該情報を取得するための情報と共に受信する受信部と、
上記受信された番組コンテンツを上記蓄積部に蓄積する蓄積制御部をさらに備える
前記（１）に記載のコンテンツ再生装置。
（３）上記受信部は上記再生制限区間の制限解除のための情報または該情報を取得するための情報をさらに受信する
前記（２）に記載のコンテンツ再生装置。
（４）上記制御部は、
上記再生部が上記蓄積部から上記番組コンテンツを再生するとき、再生制限の期限前は、上記再生制限区間が通常再生されるように上記再生部の再生動作を制限する
前記（１）から（３）のいずれかに記載のコンテンツ再生装置。
（５）上記制御部は、
上記再生制限の期限前であっても、上記再生制限区間が既に所定回数だけ通常再生されているときは、上記再生部の再生動作を制限することを行わない
前記（４）に記載のコンテンツ再生装置。
（６）上記再生制限区間は、広告区間であり、
上記再生制限の期限前に上記番組コンテンツの上記広告区間が通常再生されるとき、外部の広告視聴率計測サーバにアクセスして視聴率登録を行う通信部をさらに備える
前記（４）または（５）に記載のコンテンツ再生装置。
（７）上記再生制限区間は、広告期間であり、
上記再生制限の期限前に上記番組コンテンツの上記広告区間が通常再生されるとき、視聴者に該広告区間の視聴に対する対価を付与する対価付与部をさらに備える
前記（４）から（６）のいずれかに記載のコンテンツ再生装置。
（８）上記対価付与部は、
外部のポイントサーバにアクセスして上記視聴者にポイントを付与する
前記（７）に記載のコンテンツ再生装置。
（９）上記再生制限区間は、広告区間であり、
上記再生部が上記番組コンテンツの上記広告区間を再生する場合、上記再生制限の期限後、または上記再生制限の期限前であっても上記広告期間の通常再生回数が所定回数以上であるときは、外部の広告提供サーバにアクセスして置換用広告を取得する通信部をさらに備える
前記（４）から（８）のいずれかに記載のコンテンツ再生装置。
（１０）上記制御部は、
上記再生部が上記蓄積部から上記番組コンテンツを再生するとき、該番組コンテンツに含まれる上記再生制限区間の通常再生回数が所定数に満たない場合には、上記再生制限区間が通常再生されるように上記再生部の再生動作を制限する
前記（１）から（３）のいずれかに記載のコンテンツ再生装置。
（１１）上記再生制限区間は、広告区間であり、
上記再生部が上記番組コンテンツの上記広告区間を再生する場合、該広告区間の通常再生回数が所定回数以上であるときは、外部の広告提供サーバにアクセスして置換用広告を取得する通信部をさらに備える
前記（１０）に記載のコンテンツ再生装置。
（１２）上記再生制限区間は、広告区間であり、
上記再生部が上記番組コンテンツの上記広告区間を再生する場合、上記蓄積部に蓄積されてから一定期間が経過しているときは、外部の広告提供サーバにアクセスして置換用広告を取得する通信部をさらに備える
前記（１０）または（１１）に記載のコンテンツ再生装置。
（１３）上記再生制限区間は、広告区間であり、
上記番組コンテンツの上記広告区間が通常再生されたとき、外部のサーバに該広告区間が通常再生されたことを通知する通信部をさらに備える
前記（１０）から（１２）のいずれかに記載のコンテンツ再生装置。
（１４）上記制御部は、
上記再生部が上記再生制限区間を通常再生している状態で、視聴者操作によるスキップまたは早送りの要求があるとき、該再生制限区間の再生制限が解除されていない場合には、
上記再生部が上記再生制限区間の通常再生を継続するように制御する
前記（１）から（１３）のいずれかに記載のコンテンツ再生装置。
（１５）上記制御部は、
上記再生制限区間の再生制限が解除されているか否かを、スキップまたは早送りが制限不要となる当該再生制限区間の再生回数、あるいはスキップまたは早送りが制限される期限の情報に基づいて判断する
前記（１４）に記載のコンテンツ再生装置。
（１６）上記再生部が上記再生制限区間を再生している状態で、視聴者操作によるスキップまたは早送りの要求があるとき、該再生制限区間の再生制限が解除されていない場合には、上記要求に対応できないことを視聴者に通知する通知部をさらに備える
前記（１）から（１５）のいずれかに記載のコンテンツ再生装置。
（１７）再生部により、再生制限区間を含む番組コンテンツを蓄積部から再生する再生ステップと、
上記再生制限区間の再生制限が解除されていないとき、該再生制限区間が通常再生されるように上記再生ステップの再生動作を制限する制御ステップを有する
コンテンツ再生方法。
（１８）再生制限区間を含む番組コンテンツを取得する番組コンテンツ取得部と、
上記番組コンテンツを、上記再生制限区間を示す情報または該情報を取得するための情報と共に送信する送信部を備える
コンテンツ送信装置。
（１９）上記送信部は、
上記再生制限区間の制限解除のための情報または該情報を取得するための情報をさらに送信する
前記（１８）に記載のコンテンツ送信装置。
（２０）再生制限区間を含む番組コンテンツを取得する番組コンテンツ取得ステップと、
送信部により、上記番組コンテンツを、上記再生制限区間を示す情報または該情報を取得するための情報と共に送信する送信ステップを有する
コンテンツ送信方法。
【符号の説明】
【０１２１】
１０・・・送受信システム
１００・・・放送送出システム
２００・・・番組提供サーバ
３００・・・コンテンツ再生装置
３０１・・・制御部
３０２・・・記憶部
３０３・・・デジタルチューナ
３０４・・・通信部
３０５・・・蓄積部
３０６・・・出力部
３０７・・・ユーザ操作部
３０８・・・表示部
４００・・・通信ネットワーク
５１０・・・テレビ受信機
５２０・・・携帯端末
６１０・・・コンテンツ利用制御サーバ
６２０・・・広告視聴率計測サーバ
６３０・・・ポイントサーバ
６４０・・・広告（ＣＭ）提供サーバ
６５０・・・ユーザ情報管理サーバ
６６０・・・コンテンツ利用履歴管理サーバ
【図１】
0006623576.tif 000002
【図２】
0006623576.tif 000003
【図３】
0006623576.tif 000004
【図４】
0006623576.tif 000005
【図５】
0006623576.tif 000006
【図６】
0006623576.tif 000007
【図７】
0006623576.tif 000008
【図８】
0006623576.tif 000009
【図９】
0006623576.tif 000010
【図１０】
0006623576.tif 000011
【図１１】
0006623576.tif 000012
【図１２】
0006623576.tif 000013
【図１３】
0006623576.tif 000014
【図１４】
0006623576.tif 000015
【図１５】
0006623576.tif 000016
【図１６】
0006623576.tif 000017
【図１７】
0006623576.tif 000018